(57)【要約】部品点数を増やさずに水が浸入しにくい構造の室外機を備える空気調和機を提供する。空気調和機（１）は、室外機（１０）の筺体（１１０）を構成する側面板（１１４）と、側面板（１１４）を覆うように取り付ける配管カバー（１２０）と、を備え、配管カバー１２０は、側面板（１１４）に面接触する接触面部（１３１）と、接触面部（１３１）に設けられ、側面板（１１４）と接触面部（１３１）との隙間に浸入した水を保水して流下させる溝（１３２）と、接触面部（１３１）に浸入した水を、側面板（１１４）の第１開口（１１４ｃ）から離隔した下部空間（１３９）まで誘導する排水溝（１３３）と、を有する。
2019207745.tif 000002
【特許請求の範囲】
【請求項１】
室外機の筺体を構成する外板と、前記外板を覆うように取り付ける配管カバーと、を備え、
前記配管カバーは、前記外板に面接触する接触面部と、
前記接触面部に設けられた溝と、
を有することを特徴とする空気調和機。
【請求項２】
前記溝は、前記外板と前記接触面部との隙間に浸入した水を保水して流下させる機能を有する
ことを特徴とする請求項１に記載の空気調和機。
【請求項３】
前記外板は、前記筺体の内部に開口する開口部を有し、
前記接触面部は、前記開口部の外側で面接触し、
前記溝は、前記接触面部に浸入した水を、前記開口部から離隔した下方の空間まで誘導する排水溝を有する
ことを特徴とする請求項１に記載の空気調和機。
【請求項４】
前記接触面部は、複数列の前記溝を有する
ことを特徴とする請求項１に記載の空気調和機。
【請求項５】
前記接触面部は、前記溝から分岐する複数の前記排水溝を有する
ことを特徴とする請求項１に記載の空気調和機。
【請求項６】
前記溝は、直線または蛇行する
ことを特徴とする請求項１ないし請求項５のいずれか一項に記載の空気調和機。
【請求項７】
前記溝は、前記接触面部の全幅に対し、２０〜６０％の溝幅を有する
ことを特徴とする請求項１ないし請求項６のいずれか一項に記載の空気調和機。
【発明の詳細な説明】
【技術分野】
【０００１】
本発明は、空気調和機に関する。
【背景技術】
【０００２】
空気調和機の室内機の配管は、屋外に引き出され室外機に接続される。空気調和機の室外機の外板と配管カバーの接触面に雨水等の水が降りかかった際、配管カバー内部の室外機の外板の開口部内部への水の浸入を防ぐ必要がある。【０００３】
特許文献１には、室外機本体の一側面の上部に設けられたコネクタおよび一側面の下部に設けられた接続バルブ手段を室外機本体の外側方から覆う金属製のカバー部材を備える室外機が記載されている。特許文献１に記載の室外機は、カバー部材が上端部にパッキンを備えることが記載されている。
【先行技術文献】
【特許文献】
【０００４】
【特許文献１】特開２０１２−２０２６１６号公報
【発明の概要】
【発明が解決しようとする課題】
【０００５】
しかしながら、特許文献１の室外機は、パッキン等のシール部材を備えるので、部品点数とシール部材の取付け工数が増えるという課題がある。【０００６】
本発明は、このような事情に鑑みてなされたものであり、部品点数を増やさずに水が浸入しにくい構造の室外機を備える空気調和機を提供することを課題とする。
【課題を解決するための手段】
【０００７】
上記課題を解決するために、本発明の空気調和機は、室外機の筺体を構成する外板と、前記外板を覆うように取り付ける配管カバーと、を備え、前記配管カバーは、前記外板に面接触する接触面部と、前記接触面部に設けられた溝と、を有することを特徴とする。
その他の手段については、発明を実施するための形態のなかで説明する。
【発明の効果】
【０００８】
本発明によれば、部品点数を増やさずに水が浸入しにくい構造の室外機を備える空気調和機を提供する。
【図面の簡単な説明】
【０００９】
【図１】本発明の実施形態に係る空気調和機の冷媒回路を示す構成図である。
【図２】上記実施形態に係る空気調和機が備える室内機および室外機の外観構成を示す斜視図である。
【図３Ａ】上記実施形態に係る空気調和機の室外機の配管カバーを取り付けた外観構成を示す斜視図である。
【図３Ｂ】上記実施形態に係る空気調和機の室外機の配管カバーを取り外した外観構成を示す斜視図である。
【図４】上記実施形態に係る空気調和機の室外機の筐体の側面板の構成を示す斜視図である。
【図５Ａ】上記実施形態に係る空気調和機の室外機の筐体の側面板に取り付けられる配管カバーの表面側から見た斜視図である。
【図５Ｂ】上記実施形態に係る空気調和機の室外機の筐体の側面板に取り付けられる配管カバーの裏面側から見た斜視図である。
【図６Ａ】図５Ｂに示す配管カバーの裏面の要部拡大図である。
【図６Ｂ】図６Ａの溝および排水溝の拡大図である。
【図６Ｃ】図６ＢのＶＩＣ矢視断面図である。
【図７】図６ＡのＶＩＩ矢視断面図である。
【図８Ａ】上記実施形態に係る空気調和機の室外機の配管カバーの溝幅と水の浸入量との関係を示す図である。
【図８Ｂ】上記実施形態に係る空気調和機の室外機の配管カバーの溝深さと水の浸入量との関係を示す図である。
【図９】上記実施形態に係る空気調和機の室外機の配管カバーの溝幅および溝深さと水の浸入量との関係を示す図である。
【図１０Ａ】上記実施形態に係る空気調和機の変形例１の配管カバーの接触面部の構成を示す正面図である。
【図１０Ｂ】上記実施形態に係る空気調和機の変形例２の配管カバーの接触面部の構成を示す正面図である。
【図１０Ｃ】上記実施形態に係る空気調和機の変形例３の配管カバーの接触面部の構成を示す正面図である。
【発明を実施するための形態】
【００１０】
以下、本発明の実施形態について図面を参照して詳細に説明する。なお、各図において共通する部分には同一の符号を付し、重複した説明を省略する。
（実施形態）
図１は、本発明の一実施形態に係る空気調和機１の冷媒回路Ｑを示す構成図である。図１の実線矢印は、暖房運転時における冷媒の流れを示し、図３の破線矢印は、冷房運転時における冷媒の流れを示している。
図１に示すように、空気調和機１は、熱源側で室外（非空調空間）に設置される室外機１０と、利用側で室内（空調空間）に設置される室内機２０とから構成され、接続配管３０ａ，３０ｂ（３０）によって接続されている。
室外機１０は、圧縮機１１と、室外熱交換器１２と、室外ファン１３と、室外膨張弁１４（膨張弁）と、四方弁１５と、を備えている。
【００１１】
圧縮機１１は、圧縮機モータ１１ａの駆動によって、低温低圧のガス冷媒を圧縮し、高温高圧のガス冷媒として吐出する機器である。
室外熱交換器１２は、その伝熱管（図示せず）を通流する冷媒と、室外ファン１３から送り込まれる外気と、の間で熱交換が行われる熱交換器である。
【００１２】
室外ファン１３は、室外ファンモータ１３ａによって、室外熱交換器１２に外気を送り込むファンであり、室外熱交換器１２の付近に設置されている。
室外膨張弁１４は、「凝縮器」（室外熱交換器１１および室内熱交換器２２の一方）で凝縮した冷媒を減圧する機能を有している。なお、室外膨張弁１４において減圧された冷媒は、「蒸発器」（室外熱交換器１２および室内熱交換器２１の他方）に導かれる。
【００１３】
四方弁１５は、空気調和機１の運転モードに応じて、冷媒の流路を切り替える弁である。すなわち、冷房運転時（図１の破線矢印を参照）には、圧縮機１１、室外熱交換器１２（凝縮器）、室外膨張弁１４、および室内熱交換器２１（蒸発器）が、四方弁１５を介して環状に順次接続されてなる冷媒回路Ｑにおいて、冷凍サイクルで冷媒が循環する。
【００１４】
また、暖房運転時（図１の実線矢印を参照）には、圧縮機１１、室内熱交換器２１（凝縮器）、室外膨張弁１４、および室外熱交換器１２（蒸発器）が、四方弁１５を介して環状に順次接続されてなる冷媒回路Ｑにおいて、冷凍サイクルで冷媒が循環する。冷媒回路Ｑにおいて、前記した「凝縮器」および「蒸発器」の一方は室外熱交換器１２であり、他方は室内熱交換器２１である。
【００１５】
［室外機１０］
図２は、本実施形態に係る空気調和機１が備える室内機２０および室外機１０の外観構成を示す斜視図である。図３は、室外機１０の外観構成を示す斜視図であり、図３Ａは、その室外機１０の配管カバー１２０を取り付けた図、図３Ｂは、その室外機１０の配管カバー１２０を取り外した図である。
図２に示すように、空気調和機１は、室内機２０と室外機１０とを接続配管３０で繋ぎ、図１に示す冷媒サイクルによって、室内機２０が設置されている室内を空調する。
【００１６】
図２および図３に示すように、室外機１０は、本体ケースを構成する筐体１１０を備える。筐体１１０は、内部が中空の直方体の形状に形成され、全体を防食性の塗料で塗装されて覆われた鋼板によって形成されている。
筐体１１０は、筐体１１０の下面に設けられた底板１１１と、底板１１１上の前端部に立設された前面板１１２と、底板１１１の左右端部および左右後端部に立設された側面板１１３，１１４（外板）と、前面板１１２および側面板１１３，１１４の上端部に設けられたトップカバー１１５と、を有する。トップカバー１１５は、筐体１１０の上面に設けられた上板である。トップカバー１１５は、前面板１１２および側面板１１３，１１４の上端部に水平に設けられている。
底板１１１の下面の前後左右には、室外機１０を据え付ける脚部１１６が固定されている。側面板１１４には、配管カバー１２０（後記）が取り付けられる。側面板１１４に取り付けられた配管カバー１２０は、側面板１１３、トップカバー１１５および底板１１１とともに室外機１０の外郭を構成する。
【００１７】
室外機１０は、底板１１１に圧縮機，室外熱交換器，室外ファン（いずれも図示省略）を搭載し、筐体１１０で覆い、配管接続バルブ（図示省略）に室内機２０からの接続配管３０（図２参照）を接続している。筐体１１０は室外熱交換器に対向する外面に室外空気の吸込み部が設けられ、室外ファンに対向する前面板１１２に自在に空気の流通ができるファンカバー１１６が設けられている。室外ファンは室外熱交換器が上流側に、ファンカバー１１６が下流側になるように回転駆動され、室外空気を室外熱交換器に流通させる。
【００１８】
<側面板１１４>
図４は、筐体１１０の側面板１１４の構成を示す斜視図である。
図４に示すように、側面板１１４は、筐体１１０の裏面に曲がる端部１１４ｅを有する本体面板１１４ａと、本体面板１１４ａの右列側に形成され、外気を取り入れるための通風口１１４ｂと、本体面板１１４ａの左列側の上方に形成された第１開口１１４ｃ（開口部）と、第１開口１１４ｃの下方に形成された第２開口１１４ｄと、を備える。筐体１１０（図２および図３参照）に側面板１１４が取り付けられた場合、第１開口１１４ｃ内には、電源線および信号線を引き込むための端子台１１７（図３Ｂ参照）が配置される。また、第２開口１１４ｄには、接続配管３０（図２参照）の接続端３１（図３Ｂ参照）が配置される。
本体面板１１４ａの右列側は、第１開口１１４ｃおよび第２開口１１４ｄを塞ぐように配管カバー１２０が取り付けられる。
【００１９】
<配管カバー１２０>
図５は、筐体１１０の側面板１１４に取り付けられる配管カバー１２０の構成を示す斜視図であり、図５Ａはその配管カバー１２０の表面側から見た斜視図、図５Ｂはその配管カバー１２０の裏面側から見た斜視図である。図６Ａは、図５Ｂに示す配管カバー１２０の裏面の要部拡大図であり、図６Ｂは、図６Ａの溝１３２および排水溝１３３の拡大図、図６Ｃは、図６ＢのＶＩＣ矢視断面図である。図７は、図６ＡのＶＩＩ矢視断面図である。
配管カバー１２０は、筐体１１０（図２および図３参照）の側面板１１４を外方側から覆う側面部のカバー部材である。
図５Ａに示すように、配管カバー１２０は、側面板１１４の第１開口１１４ｃに配置された端子台１１７（図３Ｂ参照）およびその周辺部を筐体１１０の外方側から覆うコネクタカバー部１２１と、コネクタカバー部１２１の下方で横断面（平断面）円弧状に外方側に膨出し、第２開口１１４ｄに設置された接続端３１（図３Ｂ参照）を覆う膨出部１２２と、を備える。コネクタカバー部１２１は、長手方向（上下方向、縦方向）に延びて膨出部１２２に連接されている。膨出部１２２には、配管カバー１２０の長手方向と直交する方向（横方向）に延びる凹設部１２３が設けられている。コネクタカバー部１２１の上部には、筐体１１０の取っ手となる取手部１２４が設けられている。コネクタカバー部１２１の膨出部１２２の側面には、接続配管３０（図２参照）を引き込むための切欠き１４５が設けられている。コネクタカバー部１２１には、配管カバー１２０を側面板１１４にねじ止めするためのねじ孔部１２１ａが設けられている。
配管カバー１２０は、金属材料で成形されていることから、膨出部１２２を板金加工などで膨出させ、かつ、凹設部１２３を設けることで、機械的・物理的強度を向上させることができる。
【００２０】
図５Ｂおよび図６Ａに示すように、配管カバー１２０の裏面（側面板１１４への取付面）の両縁には、長手方向（上下方向、縦方向）に延びて側面板１１４に面接触する接触面部１３１が設けられている。接触面部１３１は、配管カバー１２０の側面の端部から内部の空間１３８（配管カバー１２０内部の側面板１１４の開口部内部）に至るまでの幅（全幅）Ｄを有し、トップカバー１１５（図２参照）に近接した位置から底板１１１に近接した位置まで長手方向（上下方向、縦方向）に直線状に延びている。
接触面部１３１には、配管カバー１２０と側面板１１４との接触面に浸入した水を保水して流下させる溝１３２が形成されている。溝１３２は、接触面部１３１の上部から開溝され、コネクタカバー部１２１の下方部分まで延びて排水溝１３３に連通している。溝１３２は、側面板１１４の第１開口１１４ｃ（図３Ｂ参照）を覆うコネクタカバー部１２１部分については少なくとも覆うように形成される。
排水溝１３３は、溝１３２に対して１または複数（本実施形態では、１つ）が形成される。排水溝１３３は、接触面部１３１に浸入した水を配管カバー１２０の内部の下部空間１３９まで誘導するように傾斜する。この傾斜面は曲面であってもよい。
【００２１】
図５Ｂおよび図６Ａに示すように、配管カバー１２０のコネクタカバー部１２１の裏面には、側面板１１４の第１開口１１４ｃ（図３Ｂ参照）を両側から覆う立壁１３４と、両側の立壁１３４間を繋ぐ仕切板１３５，１３６，１３７と、を有する。立壁１３４は、側面板１１４の第１開口１１４ｃ（図３Ｂ参照）に面する部分がより高い段部１３４ａを有し、両側の立壁１３４と仕切板１３５と仕切板１３６とで区画される上部空間１３８内への水の浸入を抑制する。仕切板１３５，１３６，１３７は、配管カバー１２０のコネクタカバー部１２１の機械的・物理的強度を向上させる。
【００２２】
<溝１３２の構造>
図６Ａに示すように、筐体１１０の側面板１１４に接触する配管カバー１２０の接触面部１３１には、溝１３２および排水溝１３３が開溝されている。溝１３２は、接触面部１３１の上部からコネクタカバー部１２１の下方部分の排水溝１３３に連通している。溝１３２は、外部から水が浸入した場合、浸入した水を集めて水流として下方に流す。排水溝１３３は、溝１３２に沿って流れてきた水を配管カバー１２０の内部の下部空間１３９まで誘導して排出する。なお、溝１３２および排水溝１３３に撥水処理加工を施してもよく、水の排出を促進することができる。
【００２３】
図６Ｂおよび図７に示すように、溝１３２の幅（溝幅）ｄ１は、接触面部１３１の上記幅（全幅）Ｄに対し、２０％以上、好ましくは２０〜６０％、より好ましくは２０〜３０％である。また、図６Ｃおよび図７に示すように、溝１３２の溝深さｄ２は、例えば１ｍｍ以上である。本実施形態では、溝１３２と排水溝１３３の溝幅ｄ１および溝深さｄ２は、同一に形成している。溝を同一に形成することで、溝加工の作業性を高めることができるとともに、溝１３２から排水溝１３３に流れ込む水の流速を安定化させることができる。
【００２４】
図８は、溝幅ｄ１および溝深さｄ２と配管カバー１２０内部の側面板１１４の第１開口１１４ｃへの水の浸入量との関係を示す図であり、図８Ａは、溝幅ｄ１と水の浸入量との関係を示す図、図８Ｂは、溝深さｄ２と水の浸入量との関係を示す図である。
上記水の浸入量は、該当箇所に水を吹き掛ける場合の水圧や流量、吹き掛ける角度によって変化する。図８では、上記水を吹き掛ける条件を揃えた上で、溝幅ｄ１または溝深さｄ２を変えた場合の水の浸入量の実測例を指数化（最大値「５」、最小値「０」）して示した。
図８Ａに示すように、溝幅ｄ１が０[ｍｍ]の場合、水の浸入量「５」、溝幅ｄ１が１．４[ｍｍ]の場合、水の浸入量「４」、溝幅ｄ１が２．６[ｍｍ]の場合、水の浸入量「３」である。溝幅ｄ１を大きくとれば、より水の浸入量を防げることが分かった。
【００２５】
図８Ｂに示すように、溝深さｄ２が０[ｍｍ]の場合、水の浸入量「５」、溝深さｄ２が０．５[ｍｍ]の場合、水の浸入量「４．８」、溝深さｄ２が１[ｍｍ]の場合、水の浸入量「４．６」、溝深さｄ２が１．５[ｍｍ]の場合、水の浸入量「４．４」、溝深さｄ２が２．５[ｍｍ]の場合、水の浸入量「４」である。溝深さｄ２を深くとれば、より水の浸入量を防げることが分かった。
【００２６】
図９は、溝幅ｄ１および溝深さｄ２と水の浸入量との関係を示す図である。左縦軸に溝幅ｄ１、右縦軸に溝深さｄ２、横軸に水の浸入量をとる。
図９に示すように、溝幅ｄ１を大きくとればとるほど、また溝深さｄ２を深くとればとるほど水の浸入量を減少させることができる。溝幅ｄ１および溝深さｄ２が０のとき、水の浸入量は最大となる。また、図９の各グラフの傾きを比較すると、溝幅ｄ１に対する水の浸入量と、溝深さｄ２に対する水の浸入量とでは、前者による水の浸入量防止効果が大きい。このため、溝深さｄ２を深くするよりも溝幅ｄ１を大きくすることが有効である。そこで、本実施形態では、溝深さｄ２を所定値（例えば１[ｍｍ]）とし、溝１３２の溝幅ｄ１は、接触面部１３１の上記幅（全幅）Ｄに対し、２０％以上、好ましくは２０〜６０％、より好ましくは２０〜３０％とした。
排水溝１３３の深さは、１ｍｍ以上であることが好ましい。１ｍｍ未満の深さでは水滴が排水溝１３３に浸入せず、接触面に広がる。
溝幅ｄ１は、接触面の全幅に対し２０％以上であることが好ましい。また、溝幅ｄ１は、最小値は１．４ｍｍであることが好ましい。
【００２７】
溝幅ｄ１および溝深さｄ２についてさらに考察する。溝幅ｄ１および溝深さｄ２に上限値（Ｄに対して、〜６０％）を設けているのは、下記の理由からである。
図６Ｂに示すように、排水溝１３３は、流下してきた水を配管カバー１２０の内部の下部空間１３９に排出する開口部１３４を有する。開口部１３４は、接触面部１３１の端面に開口しており、端面視して、矩形形状である。排水溝１３３は、配管カバー１２０の内部の下部空間１３９に向かって傾斜しているので、開口部１３４の横幅は、排水溝１３３の溝幅ｄ１よりも長尺である。
【００２８】
排水溝１３３の溝幅ｄ１および溝深さｄ２は、水を排出する流量の観点からは、特に上限値を設ける必要性はない。しかしながら、開口部１３４の開口面積を大きくすると、虫が這入り込む隙間が生じることが分かった。特に、室外機１０では、経年使用している間に、様々な虫が筐体１１０の内部に這入り込む虞がある。虫が排水溝１３３や溝１３２にまで這入り込むと、溝が詰まって水が流れにくくなり、溝１３２が水を集める効果が減少する。開口部１３４の開口面積が、上記上限値以下であれば、虫が這入り込む隙間がなく、かかる不具合を未然に防止することができる。
【００２９】
以下、上述のように構成された空気調和機１の室外機１０の配管カバー１２０の作用効果について説明する。
図６Ａおよび図６Ｂの符号ａに示すように、室外機１０の筐体１１０の側面板１１４（外板）（図２および図３参照）と配管カバー１２０の接触面に雨水等の水が降りかかった際、筐体１１０の側面板１１４と配管カバー１２０の接触面部１３１の隙間に水が浸入する場合がある。
浸入した水は、接触面部１３１に設けられた溝１３２に浸透し、ここで所定量が保水される。図６Ａおよび図６Ｂの符号ｂに示すように、溝１３２で保水された水は、流れに沿って集められながらまとまって水滴となり溝１３２を下降する。図６Ａおよび図６Ｂの符号ｃに示すように、溝１３２を下降した水は、溝１３２に連通する排水溝１３３に沿って流れ、配管カバー１２０の内部の下部空間１３９に排出される。
【００３０】
このように、配管カバー１２０の接触面に雨水等の水が降りかかったとしても、筐体１１０の側面板１１４と配管カバー１２０の接触面部１３１の隙間に浸入した水は、接触面部１３１に設けられた溝１３２に浸透し、溝１３２および排水溝１３３に沿って下方に流される。このため、浸入した水は、端子台等、水から保護したい場所である側面板１１４の第１開口１１４ｃへは到達しない。
【００３１】
なお、図６Ｂの符号ａ２に示すように、配管カバー１２０の内部の下部空間１３９（図６Ａ参照）からも水（例えば、結露水）が側面板１１４の第１開口１１４ｃに浸入する場合がある。配管カバー１２０の内部の下部空間１３９から浸入する水に対しても接触面部１３１に設けられた溝１３２が、浸入した水を集めて下方に流すので、配管カバー１２０内部の室外機１１０の側面板１１４の第１開口１１４ｃへの水の浸入を防止することができる。
このように、配管カバー１２０の接触面部１３１に設けられた溝１３２は、配管カバー１２０の接触面部１３１の外側と内側の両面からの水を集めて保水し、流下させる。
【００３２】
以上説明したように、本実施形態の空気調和機１は、室外機１０の筺体１１０を構成する側面板１１４（外板）と、側面板１１４を覆うように取り付ける配管カバー１２０と、を備え、配管カバー１２０は、側面板１１４に面接触する接触面部１３１と、接触面部１３１に設けられ、側面板１１４と接触面部１３１との隙間に浸入した水を保水して流下させる溝１３２と、接触面部１３１に浸入した水を、側面板１１４の第１開口１１４ｃ（開口部）から離隔した下部空間１３９まで誘導する排水溝１３３と、を有する。
【００３３】
この構成により、筐体１１０の側面板１１４と配管カバー１２０の接触面部１３１の隙間に浸入した水は、溝１３２に浸透し、溝１３２および排水溝１３３に沿って下方に流される。これにより、外部から水が浸入してきても、配管カバー１２０内部の室外機１１０の側面板１１４の第１開口１１４ｃ内部への水の浸入を防止することができる。
特に、本実施形態では、従来技術のようなパッキン等のシール部材を特に用いることなく、側面板１１４の第１開口１１４ｃへの水の浸入を防ぐことができる。部品点数やシール部材の取付け工数を増やさずに水が浸入しにくい構造の空気調和機を提供することができる。部品点数やシール部材の取付け工数を減少することができるので、従来技術に比べ低コスト化を図ることができ、室外機１０を安価に構成することができる。
【００３４】
［変形例］
次に、本発明の実施形態に係る空気調和機１の室外機１０の配管カバー１２０の変形例を説明する。
<変形例１>
図１０Ａは、変形例１の配管カバー１２０の接触面部１３１Ａの構成を示す正面図である。
図１０Ａに示すように、筐体１１０（図２および図３参照）の側面板１１４に接触する配管カバー１２０の接触面部１３１Ａには、溝１３２と、溝１３２に連通する複数の排水溝１３３Ａ１，１３３Ａ２とが開溝されている。溝１３２は、接触面部１３１の上部からコネクタカバー部１２１の下方部分の排水溝１３３Ａ１に連通し、さらにその下方の排水溝１３３Ａ２に連通している。
【００３５】
以上の構成において、図１０Ａの符号ａ１に示すように、筐体１１０（図２および図３参照）の側面板１１４と配管カバー１２０の接触面部１３１の隙間に浸入した水を、接触面部１３１に設けられた溝１３２に浸透させることができる。また、図１０Ａの符号ａ２に示すように、配管カバー１２０の内部の下部空間１３９（図６Ａ参照）から側面板１１４と配管カバー１２０の接触面部１３１の隙間に浸入した水を、接触面部１３１Ａに設けられた溝１３２に浸透させることができる。
図１０Ａの符号ｂに示すように、溝１３２に浸透した水は、流れに沿って集められながら溝１３２を下降する。図１０Ａの符号ｃ１，ｃ２に示すように、溝１３２を下降した水は、排水溝１３３Ａ１と、排水溝１３３Ａ２とに分岐して流れ、配管カバー１２０の内部の下部空間１３９に排出される。
【００３６】
変形例１では、溝１３２に複数の排水溝１３３Ａ１，Ａ２が連通する構成を採ることで、水の排出をより促進することができる。すなわち、変形例１では、溝１３２から流下した水を排水溝１３３Ａ１，１３３Ａ２に分散して流すので、図６Ｂに示す排水溝１３３が１つの場合よりも、溝幅ｄ１や溝深さｄ２を小さくすることが可能になる。また、溝幅ｄ１や溝深さｄ２を小さくすることができるので、排水溝１３３Ａ１，１３３Ａ２の開口部１３４Ａ１，１３４Ａ２の開口面積の前記上限値に収めることが容易となる。
【００３７】
<変形例２>
図１０Ｂは、変形例２の配管カバー１２０の接触面部１３１Ｂの構成を示す正面図である。
図１０Ｂに示すように、筐体１１０（図２および図３参照）の側面板１１４に接触する配管カバー１２０の接触面部１３１Ｂには、複数の溝１３２Ｂ１，１３２Ｂ２と、溝１３２Ｂ１，１３２Ｂ２に連通する排水溝１３３とが開溝されている。溝１３２Ｂ１は、配管カバー１２０の接触面部１３１Ｂの外方において上下方向に開溝し、溝１３２Ｂ２は、溝１３２Ｂ１と並列に、接触面部１３１Ｂの内方において上下方向に開溝する。なお、溝１３２Ｂ１と溝１３２Ｂ２とは、異なる溝幅（例えば、溝１３２Ｂ１の溝幅＞溝１３２Ｂ１の溝幅）や異なる溝深さ（例えば、溝１３２Ｂ１の溝深さ＞溝１３２Ｂ１の溝深さ）であってもよい。
【００３８】
以上の構成において、図１０Ｂの符号ａ１に示すように、筐体１１０（図２および図３参照）の側面板１１４と配管カバー１２０の接触面部１３１の隙間に浸入した水を、溝１３２Ｂ１に浸透させることができる。また、図１０Ｂの符号ａ２に示すように、配管カバー１２０の内部の下部空間１３９（図６Ａ参照）から側面板１１４と配管カバー１２０の接触面部１３１の隙間に浸入した水を、溝１３２Ｂ２に浸透させることができる。
ここで、配管カバー１２０の接触面部１３１の隙間に浸入した水が、溝１３２Ｂ１において吸収しきれなかった場合、隣接する溝１３２Ｂ２に浸透し、溝１３２Ｂ２により排出される。
【００３９】
図１０Ｂの符号ｂ１，ｂ２に示すように、溝１３２Ｂ１，１３２Ｂ２に浸透した水は、流れに沿って集められながら溝１３２Ｂ１，１３２Ｂ２をそれぞれ下降する。図１０Ｂの符号ｃに示すように、溝１３２Ｂ１，１３２Ｂ２を下降した水は、排水溝１３３で合流し、配管カバー１２０の内部の下部空間１３９に排出される。
【００４０】
変形例２では、接触面部１３１Ｂの幅（全幅）Ｄに対し、溝１３２Ｂ１，１３２Ｂ２の各溝幅を合計した寸法を、全溝幅とすることができるので、水の排出をより促進することができる。変形例２は、接触面部１３１Ｂの幅Ｄが広い配管カバー１２０に適用すると、より確実に水が浸入しにくい構造を実現することができる。
【００４１】
<変形例３>
図１０Ｃは、変形例３の配管カバー１２０の接触面部１３１Ｃの構成を示す正面図である。
図１０Ｃに示すように、筐体１１０（図２および図３参照）の側面板１１４に接触する配管カバー１２０の接触面部１３１Ｃは、蛇行する溝１３２Ｃを備える。蛇行する溝１３２Ｃは、例えば半円状の円環を繋ぎ合せて構成される。
【００４２】
以上の構成において、図１０Ｃの符号ａ１，ａ２に示すように、配管カバー１２０の接触面部１３１の隙間に浸入した水は、溝１３２Ｃに浸透する。図１０Ｃの符号ｂに示すように、溝１３２Ｃに浸透した水は、流れに沿って集められながら溝１３２Ｃを蛇行しながら下降する。図１０Ｃの符号ｃに示すように、溝１３２Ｃを蛇行しながら下降した水は、配管カバー１２０の内部の下部空間１３９（図６Ａ参照）に排出される。
【００４３】
変形例３では、接触面部１３１Ｃに蛇行する溝１３２Ｃが設けられる。蛇行する溝１３２Ｃは、流路の体積が直線の溝よりも大きい。また、浸入した水が溝１３２Ｃに回り込む溝１３２Ｃの側面部の長さが直線の溝よりも長いので、浸入した水は溝１３２Ｃにより浸透し易い。このため、浸入する水の多少にかかわらず、安定して水を排出することができる。変形例３は、接触面部１３１Ｃの幅Ｄが広い配管カバー１２０に適用すると、より確実に水が浸入しにくい構造を実現することができる。
【００４４】
（その他の実施形態）
以上、実施形態および変形例について図面を参照して詳述したが、本発明はこれら実施形態に限定されるものではなく、本発明の要旨を逸脱しない範囲の工程、製造、設計変更等があってもよく、以下にその例を挙げる。
また、ある実施形態および変形例の構成の一部を他の実施形態の構成に置き換えることが可能であり、また、ある実施形態の構成に他の実施形態の構成を加えることも可能である。
また、実施形態の構成の一部について、他の構成の追加・削除・置換をすることが可能である。
【符号の説明】
【００４５】
１  空気調和機
１０  室外機
１１  圧縮機
１２  室外熱交換器
１３  室外ファン
１４  室外膨張弁（膨張弁）
１５  四方弁
２０  室内機
３０，３０ａ，３０ｂ  接続配管
３１  接続端
１１０  筐体
１１１  底板
１１２  前面板
１１３，１１４  側面板（外板）
１１５  トップカバー
１１６  ファンカバー
１１４ａ  本体面板
１１４ｂ  通風口
１１４ｃ  第１開口（開口部）
１１４ｄ  第２開口
１１４ｅ  端部
１１７  端子台
１２０  配管カバー
１２１  コネクタカバー部
１２２  膨出部
１２３  凹設部
１２４  取手部
１３１，１３１Ａ，１３１Ｂ，１３１Ｃ  接触面部
１３２，１３２Ｂ１，１３２Ｂ２，１３２Ｃ  溝
１３３，１３３Ａ１，１３３Ａ２  排水溝
１３４  開口部
１３８  上部空間
１３９  下部空間
Ｄ  接触面部の全幅
ｄ１  溝幅
ｄ２  溝深さ
【図１】
2019207745.tif 000003
【図２】
2019207745.tif 000004
【図３Ａ】
2019207745.tif 000005
【図３Ｂ】
2019207745.tif 000006
【図４】
2019207745.tif 000007
【図５Ａ】
2019207745.tif 000008
【図５Ｂ】
2019207745.tif 000009
【図６Ａ】
2019207745.tif 000010
【図６Ｂ】
2019207745.tif 000011
【図６Ｃ】
2019207745.tif 000012
【図７】
2019207745.tif 000013
【図８Ａ】
2019207745.tif 000014
【図８Ｂ】
2019207745.tif 000015
【図９】
2019207745.tif 000016
【図１０Ａ】
2019207745.tif 000017
【図１０Ｂ】
2019207745.tif 000018
【図１０Ｃ】
2019207745.tif 000019
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
室外機の筺体を構成する外板と、前記外板を覆うように取り付ける配管カバーと、を備え、
前記配管カバーは、上下方向に延びて前記外板に面接触する接触面部と、
前記接触面部に設けられ、上下方向に延びる溝と、
を有することを特徴とする空気調和機。
【請求項２】
前記溝は、前記外板と前記接触面部との隙間に浸入した水を保水して流下させる機能を有する
ことを特徴とする請求項１に記載の空気調和機。
【請求項３】
前記外板は、前記筺体の内部に開口する開口部を有し、
前記接触面部は、前記開口部の外側で面接触し、
前記溝は、前記接触面部に浸入した水を、前記開口部から離隔した下方の空間まで誘導する排水溝を有する
ことを特徴とする請求項１に記載の空気調和機。
【請求項４】
前記接触面部は、複数列の前記溝を有する
ことを特徴とする請求項１に記載の空気調和機。
【請求項５】
前記接触面部は、前記溝から分岐する複数の前記排水溝を有する
ことを特徴とする請求項１に記載の空気調和機。
【請求項６】
前記溝は、直線または蛇行する
ことを特徴とする請求項１ないし請求項５のいずれか一項に記載の空気調和機。
【請求項７】
前記溝は、前記接触面部の全幅に対し、２０〜６０％の溝幅を有する
ことを特徴とする請求項１ないし請求項６のいずれか一項に記載の空気調和機。
【手続補正２】
【補正対象書類名】明細書
【補正対象項目名】０００７
【補正方法】変更
【補正の内容】
【０００７】
上記課題を解決するために、本発明の空気調和機は、室外機の筺体を構成する外板と、前記外板を覆うように取り付ける配管カバーと、を備え、前記配管カバーは、上下方向に延びて前記外板に面接触する接触面部と、前記接触面部に設けられ、上下方向に延びる溝と、を有することを特徴とする。
その他の手段については、発明を実施するための形態のなかで説明する。
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
室外機の筺体を構成する外板と、前記外板を覆うように取り付ける配管カバーと、を備え、
前記配管カバーは、上下方向に延びて前記外板に面接触する接触面部と、
前記接触面部に設けられ、上下方向に延びる溝と、を有し、
前記外板は、前記筺体の内部に開口する開口部を有し、
上下方向に延びている前記溝は、前記開口部よりも下側において、前記配管カバーの幅方向内側に傾斜し、前記溝の下端は、前記外板と前記配管カバーとの間の空間に臨んでいる空気調和機。
【請求項２】
前記溝は、前記外板と前記接触面部との隙間に浸入した水を保水して流下させる機能を有する
ことを特徴とする請求項１に記載の空気調和機。
【請求項３】
前記接触面部は、前記開口部の外側で面接触し、
前記溝は、前記接触面部に浸入した水を、前記開口部から離隔した下方の空間まで誘導する排水溝を有する
ことを特徴とする請求項１に記載の空気調和機。
【請求項４】
前記接触面部は、複数列の前記溝を有する
ことを特徴とする請求項１に記載の空気調和機。
【請求項５】
前記接触面部は、前記溝から分岐する複数の前記排水溝を有する
ことを特徴とする請求項３に記載の空気調和機。
【請求項６】
前記溝は、直線または蛇行する
ことを特徴とする請求項１ないし請求項５のいずれか一項に記載の空気調和機。
【請求項７】
前記溝は、前記接触面部の全幅に対し、２０〜６０％の溝幅を有する
ことを特徴とする請求項１ないし請求項６のいずれか一項に記載の空気調和機。
【手続補正２】
【補正対象書類名】明細書
【補正対象項目名】０００７
【補正方法】変更
【補正の内容】
【０００７】
上記課題を解決するために、本発明の空気調和機は、室外機の筺体を構成する外板と、前記外板を覆うように取り付ける配管カバーと、を備え、前記配管カバーは、上下方向に延びて前記外板に面接触する接触面部と、前記接触面部に設けられ、上下方向に延びる溝と、を有し、前記外板は、前記筺体の内部に開口する開口部を有し、上下方向に延びている前記溝は、前記開口部よりも下側において、前記配管カバーの幅方向内側に傾斜し、前記溝の下端は、前記外板と前記配管カバーとの間の空間に臨んでいることとした。
その他の手段については、発明を実施するための形態のなかで説明する。
【国際調査報告】
2019207745.tif 000020
2019207745.tif 000021